(57)【要約】【課題】無線通信システムで、１フレーム期間内で特定のＲＦ部の障害が発生した時においても、システム全体の信号品質を保証する。【解決手段】受信側の通信装置は、２系統以上の受信部と、各々の受信部から各系統の受信信号及びチャネル特性の推定結果を入力する全系統受信処理部５１を備える。各々の受信部は、各系統の受信信号を処理する受信信号処理手段（アンテナ３１、４１、ＲＦ部３２、４２、ベースバンド部３４、４４）と、チャネル特性推定手段（ベースバンド部）と、所定の故障状況を検出する故障検出手段３３、４３と、所定の故障状況が検出されたときの受信信号についてチャネル特性の推定結果より前に又はそれに代えて、所定の信号を全系統受信処理部へ出力する出力信号制御手段（ベースバンド部）を備えた。【選択図】  図１
2011030057.tif 000002
【特許請求の範囲】
【請求項１】
２系統以上の受信部を備えた受信側の通信装置を有する無線通信システムにおいて、
前記受信側の通信装置は、前記２系統以上の受信部と、前記２系統以上の受信部の各々から各系統の受信信号及びチャネル特性の推定結果を入力して当該チャネル特性の推定結果に基づいて当該受信信号を処理する全系統受信処理部を備え、
前記２系統以上の受信部の各々は、各系統の受信信号を処理して前記全系統受信処理部へ出力する受信信号処理手段と、前記各系統の受信信号に基づいてチャネル特性を推定してその推定結果を前記全系統受信処理部へ出力するチャネル特性推定手段と、所定の故障状況を検出する故障検出手段と、前記故障検出手段により前記所定の故障状況が検出された場合には、当該故障状況が検出されたときの受信信号について前記チャネル特性推定手段によるチャネル特性の推定結果より前に又は前記チャネル特性推定手段によるチャネル特性の推定結果に代えて、前記所定の故障状況が検出されたときに対応した信号を前記全系統受信処理部へ出力する出力信号制御手段と、を備えた、
ことを特徴とする無線通信システム。
【請求項２】
請求項１に記載の無線通信システムにおいて、
２系統以上の送信部を備えた送信側の通信装置から２系統以上の受信部を備えた受信側の通信装置へ信号を無線により送信するＭＩＭＯの無線通信システムであり、
前記受信側の通信装置では、前記２系統以上の受信部の各々は、前記受信信号処理手段を構成する処理部として、無線信号を受信するアンテナと、前記アンテナにより受信された信号を処理するＲＦ部と、前記ＲＦ部により処理された信号を処理するベースバンド部を備え、
前記故障検出手段は、前記所定の故障状況として、前記ＲＦ部の故障状況を検出してその検出結果を前記ベースバンド部へ出力し、
前記ベースバンド部は、前記チャネル特性推定手段と、前記出力信号制御手段と、前記所定の故障状況が検出されたときに対応した信号を記憶する信号記憶手段を備え、
前記出力信号制御手段は、前記故障検出手段から前記ＲＦ部の故障状況の検出結果が入力された場合には、当該故障状況が検出されたときの受信信号のフレームについて前記チャネル特性推定手段によるチャネル特性の推定結果より前に又は前記チャネル特性推定手段によるチャネル特性の推定結果に代えて、前記信号記憶手段に記憶された信号を前記全系統受信処理部へ出力する、
ことを特徴とする無線通信システム。
【発明の詳細な説明】
【技術分野】
【０００１】
本発明は、無線通信システムに関し、特に、例えば、１フレーム期間内で特定のＲＦ部の障害が発生した時においても、システム全体の信号品質を保証する無線通信システムに関する。
【背景技術】
【０００２】
一般に、無線通信では、一定期間のフレームという単位を基に伝送が行われている。
また、各フレームの先頭部において、そのフレームが正しく受信された（受信すべき）信号であるか或いは何らかのリザーブ信号であるか等の判断が行われる。
ここで、上述の通り１フレーム単位で判断が行われるため、１フレーム期間内で障害が発生した場合には、当該フレームの先頭では正しい信号であると認識されていることから、次のフレームに達するまで障害時の信号が正しい信号として処理されることになる。
【先行技術文献】
【特許文献】
【０００３】
【特許文献１】特開２００８−１３１６５１号公報
【発明の概要】
【発明が解決しようとする課題】
【０００４】
しかしながら、例えば、複数の受信部を備え、これらで合成又は重み付けして受信する無線通信システムにおいて、受信部内の無線周波数（ＲＦ：Ｒａｄｉｏ  Ｆｒｅｑｕｅｎｃｙ）部に障害が発生した際に、ＲＦ部から望ましくない信号がベースバンド部へ出力されて、各受信部の信号が合成又は重み付けされたとき、合成後の信号の品質に劣化が生じてしまうという問題があった。具体例として、取り扱われる信号が映像信号であった場合、劣化により映像の途切れやブロックノイズの発生が懸念される。
【０００５】
本発明は、このような従来の事情に鑑み為されたもので、例えば、１フレーム期間内で特定のＲＦ部の障害が発生したような時においても、システム全体の信号品質を保証することができる無線通信システムを提供することを目的とする。
【課題を解決するための手段】
【０００６】
上記目的を達成するため、本発明では、２系統以上の受信部を備えた受信側の通信装置を有する無線通信システムにおいて、次のような構成とした。
すなわち、前記受信側の通信装置は、前記２系統以上の受信部と、前記２系統以上の受信部の各々から各系統の受信信号及びチャネル特性の推定結果を入力して当該チャネル特性の推定結果に基づいて当該受信信号を処理する全系統受信処理部を備えた。
そして、前記２系統以上の受信部の各々は、各系統の受信信号を処理して前記全系統受信処理部へ出力する受信信号処理手段と、前記各系統の受信信号に基づいてチャネル特性を推定してその推定結果を前記全系統受信処理部へ出力するチャネル特性推定手段と、所定の故障状況を検出する故障検出手段と、前記故障検出手段により前記所定の故障状況が検出された場合には、当該故障状況が検出されたときの受信信号について前記チャネル特性推定手段によるチャネル特性の推定結果より前に又は前記チャネル特性推定手段によるチャネル特性の推定結果に代えて、前記所定の故障状況が検出されたときに対応した信号を前記全系統受信処理部へ出力する出力信号制御手段と、を備えた。
【０００７】
従って、受信側の通信装置において、所定の故障状況が検出された場合には、当該故障状況が検出されたときの受信信号について、チャネル特性の推定結果より前に又はチャネル特性の推定結果に代えて、前記所定の故障状況が検出されたときに対応した信号が全系統受信処理部へ出力されるため、例えば、１フレーム期間内で特定のＲＦ部の障害が発生したような時においても、システム全体の信号品質を保証することができる。
【０００８】
ここで、所定の故障状況としては、種々なものが用いられてもよい。
また、出力信号制御手段では、例えば、故障状況が検出されたときの受信信号について、チャネル特性推定手段によるチャネル特性の推定結果より前に、所定の故障状況が検出されたときに対応した信号を全系統受信処理部へ出力する態様が用いられてもよく、或いは、故障状況が検出されたときの受信信号について、チャネル特性推定手段によるチャネル特性の推定結果に代えて、所定の故障状況が検出されたときに対応した信号を全系統受信処理部へ出力する態様が用いられてもよい。
【０００９】
本発明に係る無線通信システムでは、一構成例として、次のような構成とした。
すなわち、２系統以上の送信部を備えた送信側の通信装置から２系統以上の受信部を備えた受信側の通信装置へ信号を無線により送信するＭＩＭＯの無線通信システムに適用した。
前記受信側の通信装置では、前記２系統以上の受信部の各々は、前記受信信号処理手段を構成する処理部として、無線信号を受信するアンテナと、前記アンテナにより受信された信号を処理するＲＦ部と、前記ＲＦ部により処理された信号を処理するベースバンド部を備えた。
前記故障検出手段は、前記所定の故障状況として、前記ＲＦ部の故障状況を検出してその検出結果を前記ベースバンド部へ出力する。
前記ベースバンド部は、前記チャネル特性推定手段と、前記出力信号制御手段と、前記所定の故障状況が検出されたときに対応した信号を（例えば、メモリ等に）記憶する信号記憶手段を備えた。
前記出力信号制御手段は、前記故障検出手段から前記ＲＦ部の故障状況の検出結果が入力された場合には、当該故障状況が検出されたときの受信信号のフレームについて前記チャネル特性推定手段によるチャネル特性の推定結果より前に又は前記チャネル特性推定手段によるチャネル特性の推定結果に代えて、前記信号記憶手段に記憶された信号を前記全系統受信処理部へ出力する。
【００１０】
従って、受信側の通信装置において、ＲＦ部の故障状況が検出された場合には、当該故障状況が検出されたときの受信信号のフレームについて、チャネル特性の推定結果より前に又はチャネル特性の推定結果に代えて、故障状況が検出されたときに対応した信号が全系統受信処理部へ出力されるため、例えば、１フレーム期間内で特定のＲＦ部の障害が発生したような時においても、システム全体の信号品質を保証することができる。
【００１１】
ここで、送信側の通信装置が備える２系統以上の送信部の数や、受信側の通信装置が備える２系統以上の受信部の数としては、それぞれ、種々な数が用いられてもよい。
また、送信側の通信装置や、受信側の通信装置としては、例えば、送信側の機能と受信側の機能の両方を備えた通信装置が用いられてもよい。
【発明の効果】
【００１２】
以上説明したように、本発明に係る無線通信システムによると、例えば、１フレーム期間内で特定のＲＦ部の障害が発生したような時においても、システム全体の信号品質を保証することができる。
【図面の簡単な説明】
【００１３】
【図１】本発明の一実施例に係る２系統の送信部と２系統の受信部を有する２×２のＭＩＭＯ無線通信システムの構成例を示す図である。
【図２】本発明の一実施例に係る第一系統の受信ベースバンド部の構成例を示す図である。
【図３】本発明の一実施例に係る真理値表を示す図である。
【図４】本発明の一実施例に係る障害発生時のタイミングチャートの一例を示す図である。
【図５】従来技術に係る障害発生時のタイミングチャートの一例を示す図である。
【発明を実施するための形態】
【００１４】
本発明に係る実施例を図面を参照して説明する。
図１には、本発明の一実施例に係る２系統の送信部と２系統の受信部を有する２×２のＭＩＭＯ（Ｍｕｌｔｉｐｌｅ  Ｉｎｐｕｔ  Ｍｕｌｔｉｐｌｅ  Ｏｕｔｐｕｔ）無線通信システムの構成例を示してある。
本例の無線通信システムは、送信側の通信装置と、受信側の通信装置を有している。ここで、本例では、送信側の通信装置の送信機能と受信側の通信装置の受信機能について説明するが、送信機能と受信機能の両方を備えた通信装置が用いられてもよい。
また、本例の無線通信システムでは、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が用いられる。
【００１５】
送信側の通信装置は、２系統に共通なＭＩＭＯ送信処理部１を備えており、また、第一の系統（ＴＸ１）として、第一系統の送信ベースバンド部１１と、第一系統の送信ＲＦ部１２と、第一系統の送信アンテナ１３を備えており、また、第二の系統（ＴＸ２）として、第二系統の送信ベースバンド部２１と、第二系統の送信ＲＦ部２２と、第二系統の送信アンテナ２３を備えている。
受信側の通信装置は、第一の系統（ＲＸ１）として、第一系統の受信アンテナ３１と、第一系統の受信ＲＦ部３２と、第一系統の受信ＲＦ部監視・故障検知部３３と、第一系統の受信ベースバンド部３４を備えており、また、第二の系統（ＲＸ２）として、第二系統の受信アンテナ４１と、第二系統の受信ＲＦ部４２と、第二系統の受信ＲＦ部監視・故障検知部４３と、第二系統の受信ベースバンド部４４を備えており、また、２系統に共通なＭＩＭＯ受信処理部５１を備えている。
ここで、図１に示されるｈｙｘ（ｙ、ｘはそれぞれ１又は２）は、第ｘ系統の送信部から第ｙ系統の受信部への伝送路特性を表している。
【００１６】
本例の無線通信システムにおいて行われる動作の一例を示す。
送信側の通信装置について説明する。
ＭＩＭＯ送信処理部１は、適用するＭＩＭＯ送信方式に合わせた符号化、パイロット配置、位相制御を行い、その信号を第一系統送信ベースバンド部１１及び第二系統送信ベースバンド部２１へ出力する。
本例では、Ａｌａｍｏｕｔｉ（ＳＴＢＣ）符号を使用する。Ａｌａｍｏｕｔｉ符号化は、ＯＦＤＭの任意のサブキャリアの変調信号系列｛Ｓ（ｎ）｝＝Ｓ（０），Ｓ（１），・・・に対し、Ｓ（０）とＳ（１）の２信号を１ブロックとして、（Ｓ（０），−Ｓ（１）＊）を第一系統送信ベースバンド部１１へ、（Ｓ（１），Ｓ（０）＊）を第二系統送信ベースバンド部２１へ、夫々出力するものである。以後のＳ（２）とＳ（３）等についても同様である。パイロットキャリア及びフレーム同期期間の全サブキャリアに関しては、必ずしも上記の限りではなく、例えば所定のパイロット信号系列を１ＯＦＤＭシンボル毎に第一系統と第二系統とで交互に送信する（つまり一方がパイロット信号を送信中は、他方は同じサブキャリアでは信号を送信しない）ものでも良い。
【００１７】
第一系統送信ベースバンド部１１は、ＭＩＭＯ送信処理部１から入力された信号に対して、周波数軸信号から時間軸信号への変換、ガードインターバルの付加等を行って、第一系統送信ＲＦ部１２へ出力する。
第一系統送信ＲＦ部１２は、第一系統送信ベースバンド部１１から入力された信号に対して、Ｄ／Ａ（Ｄｉｇｉｔａｌ  ｔｏ  Ａｎａｌｏｇ）変換、送信周波数帯への変換等を行って、第一系統送信アンテナ１３へ出力する。
第一系統送信アンテナ１３は、第一系統送信ＲＦ部１２から入力された信号を第一系統受信アンテナ３１及び第二系統受信アンテナ４１へ無線により送信する。
【００１８】
第二系統送信ベースバンド部２１は、ＭＩＭＯ送信処理部１から入力された信号に対して、周波数軸信号から時間軸信号への変換、ガードインターバルの付加等を行って、第二系統送信ＲＦ部２２へ出力する。
第二系統送信ＲＦ部２２は、第二系統送信ベースバンド部２１から入力された信号に対して、Ｄ／Ａ変換、送信周波数帯への変換等を行って、第二系統送信アンテナ２３へ出力する。
第二系統送信アンテナ２３は、第二系統送信ＲＦ部２２から入力された信号を第一系統受信アンテナ３１及び第二系統受信アンテナ４１へ無線により送信する。
【００１９】
受信側の通信装置について説明する。
第一系統受信アンテナ３１は、第一系統送信アンテナ１３と第二系統送信アンテナ２３から送信された信号を受信して、第一系統受信ＲＦ部３２へ出力する。
第一系統受信ＲＦ部３２は、第一系統受信アンテナ３１から入力された受信信号に対して、ベースバンド帯への周波数変換、ＡＧＣ（Ａｕｔｏｍａｔｉｃ  Ｇａｉｎ  Ｃｏｎｔｒｏｌ）、Ａ／Ｄ（Ａｎａｌｏｇ  ｔｏ  Ｄｉｇｉｔａｌ）変換を行い、その信号を第一系統受信ベースバンド部３４へ出力する。
また、第一系統受信ＲＦ部３２は、受信信号強度や電源や各アナログＩＣ（Ｉｎｔｅｇｒａｔｅｄ  Ｃｉｒｃｕｉｔ）の状態などの情報を第一系統受信ＲＦ部監視・故障検知部３３へ出力する。
【００２０】
第一系統受信ＲＦ部監視・故障検知部３３は、第一系統受信ＲＦ部３２から入力された電源や各アナログＩＣなどの情報を基に、ＲＦ部（第一系統受信ＲＦ部３２）が正常であるか否かを監視し、その判定結果を表す判定信号ｆａｌｓｅ１を第一系統受信ベースバンド部３４へ出力する。判定信号ｆａｌｓｅ１は、例えば、０であるときには正常を表し、１であるときには異常を表すとする。
【００２１】
第一系統受信ベースバンド部３４は、第一系統受信ＲＦ部３２でデジタルに変換された信号を取り込んで、周波数変換や伝送路推定を行って、ＭＩＭＯ受信処理部５１へ出力する。
また、第一系統受信ベースバンド部３４は、第一系統受信ＲＦ部監視・故障検知部３３から入力された障害情報（判定信号ｆａｌｓｅ１）に応じて、ＭＩＭＯ受信処理部５１への出力信号を切断すること又は特定の出力を行う。
【００２２】
第二系統受信アンテナ４１は、第一系統送信アンテナ１３と第二系統送信アンテナ２３から送信された信号を受信して、第二系統受信ＲＦ部４２へ出力する。
第二系統受信ＲＦ部４２は、第二系統受信アンテナ４１から入力された受信信号に対して、ベースバンド帯への周波数変換、ＡＧＣ、Ａ／Ｄ変換を行い、その信号を第二系統受信ベースバンド部４４へ出力する。
また、第二系統受信ＲＦ部４２は、受信信号強度や電源や各アナログＩＣの状態などの情報を第二系統受信ＲＦ部監視・故障検知部４３へ出力する。
【００２３】
第二系統受信ＲＦ部監視・故障検知部４３は、第二系統受信ＲＦ部４２から入力された電源や各アナログＩＣなどの情報を基に、ＲＦ部（第二系統受信ＲＦ部４２）が正常であるか否かを監視し、その判定結果を表す判定信号ｆａｌｓｅ２を第二系統受信ベースバンド部４４へ出力する。判定信号ｆａｌｓｅ２は、例えば、０であるときには正常を表し、１であるときには異常を表すとする。
【００２４】
第二系統受信ベースバンド部４４は、第二系統受信ＲＦ部４２でデジタルに変換された信号を取り込んで、周波数変換や伝送路推定を行って、ＭＩＭＯ受信処理部５１へ出力する。
また、第二系統受信ベースバンド部４４は、第二系統受信ＲＦ部監視・故障検知部４３から入力された障害情報（判定信号ｆａｌｓｅ２）に応じて、ＭＩＭＯ受信処理部５１への出力信号を切断すること又は特定の出力を行う。
ＭＩＭＯ受信処理部５１は、第一系統受信ベースバンド部３４及び第二系統受信ベースバンド部４４から入力された２つの系統の信号について合成或いは分離を行い、各系統から送信された信号をそれぞれ得る。
【００２５】
図２には、第一系統受信ベースバンド部３４の構成例を示してある。
第一系統受信ベースバンド部３４は、ＦＦＴ（Ｆａｓｔ  Ｆｏｕｒｉｅｒ  Ｔｒａｎｓｆｏｒｍ）演算器１０１と、遅延器１０２と、ｈｙ１チャネル推定器１０３と、ｈｙ２チャネル推定器１０４と、時間軸同期信号検出器１０５と、周波数軸同期信号検出器１０６と、異常時推定値格納器１０７と、（チャネル推定結果）出力信号切替器１０８を備える。
【００２６】
ここで、第一系統受信ベースバンド部３４では、図２において、ｙ＝１となる。
また、第二系統受信ベースバンド部４４の構成や動作は、図２に示される第一系統受信ベースバンド部３４の構成や動作と同様であり、図示や詳しい説明は省略するが、第二系統受信ベースバンド部４４では、図２において、ｙ＝２となる。
【００２７】
図２に示される第一系統受信ベースバンド部３４において行われる動作の一例を示す。
ＦＦＴ演算器１０１は、（第一系統受信ＲＦ部３２から入力された）受信信号を時間軸信号ｓｔ１から周波数軸信号ｓｆ１へ変換して、遅延器１０２とｈ１１チャネル推定器１０３とｈ１２チャネル推定器１０４と周波数軸同期信号検出器１０６へ出力する。
遅延器１０２は、ＦＦＴ演算器１０１から入力された信号ｓｆ１を遅延させ、その遅延信号ｓｆ１_delayを（ＭＩＭＯ受信処理部５１へ）出力する。
【００２８】
ｈ１１チャネル推定器１０３は、ＦＦＴ演算器１０１からの出力信号ｓｆ１から第一系統送信部で付加されたパイロット信号を抽出し、そのパイロット信号に基づいてチャネルｈ１１の推定を行い、その推定結果を出力信号切替器１０８へ出力する。
ｈ１２チャネル推定器１０４は、ＦＦＴ演算器１０１からの出力信号ｓｆ１から第二系統送信部で付加されたパイロット信号を抽出し、そのパイロット信号に基づいてチャネルｈ１２の推定を行い、その推定結果を出力信号切替器１０８へ出力する。
ｈ１１チャネル推定器１０３、ｈ１２チャネル推定器１０４は、現在のＯＦＤＭシンボルから推定結果が得られないときは、直前に推定できた結果を出力するものとする。
【００２９】
時間軸同期信号検出器１０５は、（第一系統受信ＲＦ部３２から入力された）受信信号ｓｔ１から時間軸で同期ワード又はガード相関演算などにより所定のフレームの先頭を検出し、時間軸同期検出信号Ｓｙｎｃ_ｔｙを出力信号切替器１０８へ出力する。時間軸同期検出信号Ｓｙｎｃ_ｔｙとしては、例えば、同期信号（同期を取るための信号）が未検出である時には０を出力し、同期信号が検出された時には１を出力する。
【００３０】
周波数軸同期信号検出器１０６は、ＦＦＴ演算器１０１から入力された信号ｓｆ１から所定の同期ワードを検出し、周波数軸同期検出信号Ｓｙｎｃ_ｆｙを出力信号切替器１０８へ出力する。周波数軸同期検出信号Ｓｙｎｃ_ｆｙとしては、例えば、同期信号（同期を取るための信号）が未検出である時には０を出力し、同期信号が検出された時には１を出力する。
時間軸同期信号検出器１０５と、周波数軸同期信号検出器１０６は、履歴性を有するべきではない。つまり、現在のＯＦＤＭシンボルに対し、過去のシンボルでの検出結果の影響を受けずに、独自に同期検出を行う。
【００３１】
異常時推定値格納器１０７は、各種の同期信号が未検出であるとき又はＲＦ部（第一系統受信ＲＦ部３２）に障害が発生したときに出力信号切替器１０８が出力する信号ｈｅをメモリ等に格納しており、この信号ｈｅを出力信号切替器１０８へ出力する。ここで、この信号ｈｅとしては、例えば、０を出力する。
【００３２】
出力信号切替器１０８は、入力される時間軸同期検出信号Ｓｙｎｃ_ｔｙ及び周波数軸同期検出信号Ｓｙｎｃ_ｆｙと故障通知信号（第一系統受信ＲＦ部監視・故障検知部３３から入力される判定信号）ｆａｌｓｅ１に基づいて、同期が確立していてＲＦ部（第一系統受信ＲＦ部３２）に異常がなければ、出力信号ｈ１１_Ｏ、ｈ１２_Ｏとして、ｈ１１チャネル推定器１０３及びｈ１２チャネル推定器１０４で算出されて入力されたチャネル推定結果ｈ＾１１、ｈ＾１２を（ＭＩＭＯ受信処理部５１へ）出力する。
【００３３】
図３には、上記のような判定に基づく真理値表を示してある。
本例の出力信号切替器１０８では、入力されたｆａｌｓｅｙが１（異常）である場合にはｈｙ１_Ｏ、ｈｙ２_Ｏとして共にｈｅをＭＩＭＯ受信処理部５１へ出力し、入力されたＳｙｎｃ_ｔｙ及びＳｙｎｃ_ｆｙが共に１（同期信号検出）でありＲＦ部の異常が無い場合にはｈｙ１_Ｏ、ｈｙ２_Ｏとしてｈ＾ｙ１、ｈ＾ｙ２をＭＩＭＯ受信処理部５１へ出力し、いずれかの同期が確立されない場合にはｈｙ１_Ｏ、ｈｙ２_Ｏとして共にｈｅをＭＩＭＯ受信処理部５１へ出力する。＆は論理代数における論理積を示す。
【００３４】
ＭＩＭＯ受信処理部５１は、第一系統受信ベースバンド部３４と第二系統受信ベースバンド部４４とからｓｆ１_delay、ｈ１１_Ｏ、ｈ１２_Ｏとｓｆ２_delay、ｈ２１_Ｏ、ｈ２２_Ｏをそれぞれ入力され、下記の式にしたがってＡｌａｍｏｕｔｉ復号化して出力する。
Ｓ＾（０）＝ｈ１１_Ｏ＊・ｓｆ１_delay（０）＋ｈ１２_Ｏ・ｓｆ１_delay（１）＊
＋ｈ２１_Ｏ＊・ｓｆ２_delay（０）＋ｈ２２_Ｏ・ｓｆ２_delay（１）＊
Ｓ＾（１）＝ｈ１２_Ｏ＊・ｓｆ１_delay（０）−ｈ１１_Ｏ・ｓｆ１_delay（１）＊
＋ｈ２２_Ｏ＊・ｓｆ２_delay（０）−ｈ２１_Ｏ・ｓｆ２_delay（１）＊
なお、ｓｆ１_delay等の後のカッコ内の数は、何番目のＯＦＤＭシンボルのタイミングであるかを示すインデックスである。変調方式がＰＳＫ等であれば、上の２式において、右辺の第１〜第４項のいずれかが有効（ｈｙｘ_Ｏがｈｅにされていない）な限り、後段の処理においてほぼ正常に復調できる。
変調方式がＱＡＭの場合は、上式に代えて下式を用い、一方の系統の受信ベースバンド部の出力が実質的に遮断されたときに、利得を一定に保つ係数を乗ずるべきである。（Ｓ＾（１）も同様）
Ｓ＾（０）＝（４／（Ｄ２（１）＋Ｄ２（０）＋Ｄ１（１）＋Ｄ１（０）））・
（ｈ１１_Ｏ＊・ｓｆ１_delay（０）＋ｈ１２_Ｏ・ｓｆ１_delay（１）＊
＋ｈ２１_Ｏ＊・ｓｆ２_delay（０）＋ｈ２２_Ｏ・ｓｆ２_delay（１）＊）
ただし
Ｄｙ≡１（ｉｆ！（ｆａｌｓｅｙ）＆＆Ｓｙｎｃ_ｔｙ＆＆Ｓｙｎｃ_ｆｙ），
０（ｉｆ！（！（ｆａｌｓｅｙ）＆＆Ｓｙｎｃ_ｔｙ＆＆Ｓｙｎｃ_ｆｙ））
この式は、ｆａｌｓｅｙ＝０でＳｙｎｃ_ｔｙ＝１でＳｙｎｃ_ｆｙ＝１のときにＤｙ＝１であり、他のときにＤｙ＝０であることを示す。
なお、Ｄ２（１）とＤ２（０）とＤ１（１）とＤ１（０）が全て０であるときにはＳ＾（０）＝０とする。
送信側の通信装置の系統の一方が、あるＯＦＤＭシンボルの送信中に突如故障した場合、受信側の系統の両方において、該ＯＦＤＭシンボルの受信に同期未検出等の障害が検出される可能性があるが、その障害はそのシンボル限りで、次シンボルには復帰できるので問題ない。
【００３５】
次に、本実施例と従来技術例との比較を示す。
図４には、本実施例における障害発生時のタイミングチャートの一例を示してある。
図５には、従来技術例における障害発生時のタイミングチャートの一例を示してある。
【００３６】
図５に示されるように、従来技術例では、フレーム又はシンボルの途中で障害が発生した場合には、当該フレーム又は当該シンボルの先頭では正しいフレームであると認識されているため、このフレームを用いて、ベースバンド部においてチャネル推定が行われると、正しいチャネル推定結果が得られないまま処理が進められてしまい、次のフレームになるまでフレームの破綻が認識されない。
【００３７】
一方、図４に示されるように、本実施例では、フレームの途中で障害が発生した場合には、ＦＦＴ演算やチャネル推定等の処理が完了する前に、先回りでチャネル推定結果出力で障害を通知し、例えば、０を出力して、当該系統の受信アンテナから見かけ上受信されなかったようにすることで、ＭＩＭＯ受信処理部５１において、障害が発生していない片系統への悪影響を排除することが可能となる。
【００３８】
以上のように、受信側に２系統以上の受信部を備える無線通信システムにおいて、各受信部にＲＦ部（本例では、受信ＲＦ部３２、４２）とベースバンド部（本例では、受信ベースバンド部３４、４４）を備え、また、前記した複数系統の受信部のベースバンド部からの出力信号を合成する合成部（本例では、ＭＩＭＯ受信処理部５１）を備え、前記したＲＦ部を監視して故障を検知する検知部（本例では、受信ＲＦ部監視・故障検知部３３、４３）をそれぞれ備え、前記した検知部からベースバンド部へ故障を通知する機能を備え、当該故障通知の信号に基づいて前記したＲＦ部の故障時に故障した当該ＲＦ部に接続されるベースバンド部の出力を故障時の当該ＲＦ部から出力された信号が当該ベースバンド部で処理を完了して出力される前に切断すること又は特定の出力とすることを行う機能を備えた。
【００３９】
また、本実施例では、ＲＦ部の故障ばかりでなく、ベースバンド部において検出される時間軸同期の外れや周波数軸同期の外れが発生した場合においても、ベースバンド部の出力を切断すること又は特定の出力とすることを行うことが可能である。
また、本実施例では、このような無線通信システムを、ＭＩＭＯを採用する無線通信送受信システムに適用した。
【００４０】
このように、本例では、ＲＦ部での障害発生時にベースバンド出力で望ましくない信号を出力することを防ぐために、ＲＦ部での障害発生時にベースバンド出力で望ましくない信号を出力する前に、ＲＦ部の障害発生をベースバンド部での処理が完了する前に通知するようにし、これにより、１フレーム期間内での特定のＲＦ部の障害発生時においてもシステム全体の信号品質を保証することができる。
本例では、障害検出結果をチャネル推定結果に先回りしてＭＩＭＯ受信処理部５１に通知することにより、故障によるチャネル特性の急変に対応することができる（例えば、次のシンボルから復帰することができる）。
【００４１】
また、ＭＩＭＯ方式に合わせた符号化としては、ＳＴＢＣのほかにＳＴＴＣ（時空間トレリス符号）やその他の公知のものを利用でき、ＭＩＭＯ受信処理部５１におけるチャネル推定結果の用い方も符号毎にそれぞれである。例えばＳＴＴＣでは、ビタビ等の最尤復号を行うが、候補となる符号列のレプリカを生成する際にチャネル推定結果が必要となる。
【００４２】
なお、本例の無線通信システムでは、２系統の送信部を備えた送信側の通信装置と、２系統の受信部を備えた受信側の通信装置を有している。
また、本例の受信側の通信装置では、２系統の受信部と、全系統受信処理部（本例では、ＭＩＭＯ受信処理部５１）を備えている。また、本例の受信側の通信装置では、各系統の受信部は、受信信号処理手段（本例では、アンテナ３１、４１や受信ＲＦ部３２、４２や受信ベースバンド部３４、４４の受信信号処理機能）と、チャネル特性推定手段（本例では、受信ベースバンド部のチャネル推定器１０３、１０４）と、故障検出手段（本例では、受信ＲＦ部監視・故障検知部３３、４３）と、出力信号制御手段（本例では、受信ベースバンド部の出力信号切替器１０８）を備えている。また、本例の受信ベースバンド部は、信号記憶手段（本例では、異常時推定値格納器１０７）を備えている。
【符号の説明】
【００４３】
１・・ＭＩＭＯ送信処理部、  １１・・第一系統送信ベースバンド部、  １２・・第一系統送信ＲＦ部、  １３・・第一系統送信アンテナ、  ２１・・第二系統送信ベースバンド部、  ２２・・第二系統送信ＲＦ部、  ２３・・第二系統送信アンテナ、  ３１・・第一系統受信アンテナ、  ３２・・第一系統受信ＲＦ部、  ３３・・第一系統受信ＲＦ部監視・故障検知部、  ３４・・第一系統受信ベースバンド部、  ４１・・第二系統受信アンテナ、  ４２・・第二系統受信ＲＦ部、  ４３・・第二系統受信ＲＦ部監視・故障検知部、  ４４・・第二系統受信ベースバンド部、  ５１・・ＭＩＭＯ受信処理部、  １０１・・ＦＦＴ演算器、  １０２・・遅延器、  １０３・・ｈｙ１チャネル推定器、  １０４・・ｈｙ２チャネル推定器、  １０５・・時間軸同期信号検出器、  １０６・・周波数軸同期信号検出器、  １０７・・異常時推定値格納器、  １０８・・出力信号切替器、
【図１】
2011030057.tif 000003
【図２】
2011030057.tif 000004
【図３】
2011030057.tif 000005
【図４】
2011030057.tif 000006
【図５】
2011030057.tif 000007